(57)【要約】【課題】装着される対象である陳列棚への後付けが可能で、しかも、装着後においても照明対象となる表示内容を種々変更することが可能な構成を備えた照明器具用の透明枠体を提供する。【解決手段】基片１Ａと、基片１Ａの表側に設けられ、複数の光源が並設された基板を受け入れ支持可能な断面がチャンネル状の光源装着部１Ｂと、光源装着部１Ｂに基片１Ａの表側で対向する表示部材支持部１Ｃと、光源装着部１Ｂが位置する面の裏側上端に位置して可撓性を有するクリップ状をなす挟持装着部１Ｅとを備え、挟持装着部１Ｅは陳列棚５の前端片部５Ａを挟み込み可能であり、表示部材支持部１Ｃは、下部が折り返されて、フィルムあるいはシート状の表示部材３を挟み込むことが可能な把持部１Ｃ１が設けられ、表示部材３は、把持部１Ｃ１と挟持装着部１Ｅの一部が基片１Ａの表側に庇状に張り出している保持部１Ｅ１とで保持されることを特徴とする。【選択図】図３
0003151340.tif 000002
【実用新案登録請求の範囲】
【請求項１】
内蔵している光源からの照明光により表示部を照明するための照明器具用の透明枠体であって、
基片と、
前記基片の表側に設けられ、複数の光源が並設された基板を受け入れ支持可能な断面がチャンネル状の光源装着部と、
該光源装着部に前記基片の表側で対向する表示部材支持部と、
該光源装着部が位置する面の裏側上端に位置して可撓性を有するクリップ状をなす挟持装着部とを備え、
前記挟持装着部は陳列棚の前端片部を挟み込み可能であり、前記表示部材支持部は、下部が折り返されて、フィルムあるいはシート状の表示部材を挟み込むことが可能な把持部が設けられ、前記表示部材は、該把持部と前記挟持装着部の一部が前記基片の表側に庇状に張り出している保持部とで保持されることを特徴とする照明器具用の透明枠体。
【請求項２】
前記基片、光源装着部、挟持装着部および表示部材支持部は、前記表示部材の長手方向に押し出し成形された光透過可能なポリカーボネイト、ＰＥＴあるいはアクリル樹脂を用いた成形品で構成されていることを特徴とする請求項１に記載の照明器具用の透明枠体。
【請求項３】
前記光源装着部と前記表示部材支持部との間には、さらに該表示部材支持部に倣った形状を有する片部材が一体成形されていることを特徴とする請求項１又は２に記載の照明器具用の透明枠体。
【請求項４】
前記光源はＬＥＤであり、
前記表示部材はコルトン紙あるいは光透過性を有するフィルムあるいはシートであり、該コルトン紙あるいはフィルムやシートに表示内容が印刷あるいは打ち抜きによって形成されていることを特徴とする請求項１乃至３のいずれかに記載の照明器具用の透明枠体。
【考案の詳細な説明】
【技術分野】
【０００１】
本考案は、発光ダイオード（ＬＥＤ）などの光源と、光透過性フィルムなどの表示部材を交換可能に支持する照明器具用の透明枠体に関する。
【背景技術】
【０００２】
近年、商品の陳列装飾に照明を用いる手法が多用されるようになってきている。
照明方法としては、商品に直接光を当てる方法の他に、商品名や宣伝文字をパネル面あるいはフィルム面に描き、これを照明により浮き上がらせる方法（例えば、特許文献１）、あるいは、光透過性の表示パネルを前面に装備させて内部にバックライトを配置したコルトンボックスを用いる構成が提案されている（例えば、特許文献２）。
【０００３】
上記特許文献１には、照明光源を備えた箱体の全面に画像フィルムを交換可能に設け、紫外線により発光する特殊な着色インクを用いて描画された画像フィルムを箱体前面に装着して、いわゆる、広告媒体とする構成が開示されている。
特許文献２には、内部に照明光源を備えた箱体の前面にアクリル樹脂などの透明表示板を装着して照明光源からの照明光を透過させる構成が開示されている。
【０００４】
一方、上記特許文献１に開示されているような専用の広告媒体としての専用構造を用いるのではなく、商品の陳列棚にタグなどを用いた透光性を有する表示板を備え、この表示板の裏側から照明することにより商品表示が行える電飾構造も提案されている（例えば、特許文献３）。
【０００５】
特許文献３には、陳列棚を構成するフレームの上部に表示部を設け、その表示部として、蛍光灯を内蔵可能なチャンネル形状のフレーム材を用い、そのフレーム材の前面において下方に表示板を傾けた状態で装着し、蛍光灯の光を表示板の照明と棚上の商品照明とに用いるようにした構成が開示されている。
【０００６】
ところで、近年では、照明のための光源として省エネ効果の高いＬＥＤを用いる場合がある（例えば、特許文献４）。
特許文献４には、ＬＥＤをフレキシブルプリント基板に多数配列し、選択的な点灯により照明の明るさや密度を設定できる構成が開示されている。
【先行技術文献】
【特許文献】
【０００７】
【特許文献１】特開２００８−６５１６８号公報
【特許文献２】特開２００３−２５９９５１号公報
【特許文献３】特許第３１１４０９４号公報
【特許文献４】特開２００７−１０９４４７号公報
【考案の概要】
【考案が解決しようとする課題】
【０００８】
陳列棚での電飾機構においては、予め陳列棚と一体に照明部としての光源及び表示部を組み込んでおく必要があり、陳列棚への後付けによる電飾機構の設置が行えないという問題がある。
【０００９】
本考案の目的は、上記従来の照明器具用の枠体における問題に鑑み、装着される対象である陳列棚への後付けが可能で、しかも、装着後においても照明対象となる表示内容を種々変更することが可能な構成を備えた照明器具用の透明枠体を提供することにある。
【課題を解決するための手段】
【００１０】
この目的を達成するため、本考案は次の構成よりなる。
（１）内蔵している光源からの照明光により表示部を照明するための照明器具用の透明枠体であって、
基片と、前記基片の表側に設けられ、複数の光源が並設された基板を受け入れ支持可能な断面がチャンネル状の光源装着部と、該光源装着部に前記基片の表側で対向する表示部材支持部と、該光源装着部が位置する面の裏側上端に位置して可撓性を有するクリップ状をなす挟持装着部とを備え、前記挟持装着部は陳列棚の前端片部を挟み込み可能であり、前記表示部材支持部は、下部が折り返されて、フィルムあるいはシート状の表示部材を挟み込むことが可能な把持部が設けられ、前記表示部材は、該把持部と前記挟持装着部の一部が前記基片の表側に庇状に張り出している保持部とで保持されることを特徴とする照明器具用の透明枠体。
【００１１】
（２）前記基片、光源装着部、挟持装着部および表示部材支持部は、前記表示部材の長手方向に押し出し成形された光透過可能なポリカーボネイト、ＰＥＴあるいはアクリル樹脂を用いた成形品で構成されていることを特徴とする（１）に記載の照明器具用の透明枠体。
【００１２】
（３）前記光源装着部と前記表示部材支持部との間には、さらに該表示部材支持部に倣った形状を有する片部材が一体成形されていることを特徴とする（１）又は（２）に記載の照明器具用の透明枠体。
なお、前記片部材は光源素子の保護に用いられる他に表面を加工して光拡散性を与えることもできる。
【００１３】
（４）前記光源はＬＥＤであり、前記表示部材はコルトン紙あるいは光透過性を有するフィルムあるいはシートであり、該コルトン紙あるいはフィルムやシートに表示内容が印刷あるいは打ち抜きによって形成されていることを特徴とする（１）乃至（３）のいずれかに記載の照明器具用の透明枠体。
【考案の効果】
【００１４】
本考案によれば、光源装着部、挟持装着部及び表示部材支持部が光透過性の成形品により構成されているので、光源からの照明光を表示部材支持部に透過させて表示部材の内容を外部から視認しやすくすることができる。
特に、これら各部を有する成形品は、挟持装着部を備えることで陳列棚などに設けられている落下防止用の片部に差し込んで用いることができるので、既存の陳列棚に対して後付けにより表示部材の照明器具として設置することができる。
また、表示部材支持部には、表示部材の上下端部を保持可能な構成が用いられているので、表示部材の交換を可能にして表示内容を種々選択することができる。
さらに加えて、本考案によれば、光源装着部と表示部材支持部との間に光源保護用および光拡散性を与えるための片部材を備えることにより、光源が点光源であってもその照明光を拡散して表示部材への照明が可能となる。
【図面の簡単な説明】
【００１５】
【図１】本考案による照明器具用の透明枠体の断面図である。
【図２】図１に示した透明枠体の斜視図である。
【図３】図１に示した透明枠体の装着手順を説明するための図１相当の断面図である。
【図４】図１に示した透明枠体の実装状態を説明するための斜視図である。
【考案を実施するための形態】
【００１６】
以下、図面により本考案を実施するための形態を実施例として説明する。
図１は、本考案による照明器具用の透明枠体の断面図である。
同図において透明枠体１は、光透過性を有する樹脂を用いて後述する表示部材の長手方向に沿って押し出し成形された成形品で構成されており、その樹脂としては、ポリカーボネイト、ＰＥＴ（ポリエチレン・テレフタレート）、あるいはアクリル樹脂が用いられている。
【００１７】
透明枠体１は、図１において縦方向に延長された基片１Ａを有し、基片１Ａには、厚さ方向一方の面で下端側に設けられている光源装着部１Ｂと、上端側に設けられている表示部材支持部１Ｃと、縦方向においてこれら光源装着部１Ｂおよび表示部材支持部１Ｃの間に設けられている片部材１Ｄと、基片１Ａの厚さ方向他方の面で上端側に設けられている挟持装着部１Ｅとを備えている。以下、各部の構成について説明する。
【００１８】
図２は、図１に示した透明枠体の斜視図である。
図１および図２に示すように、光源装着部１Ｂは、基片１Ａから表示部材支持部１Ｃの湾曲面に対向するように傾斜した状態で張り出している。また、図２に示すように、光源として複数のＬＥＤ２Ａがプリント基板２に配備されている。光源装着部１Ｂは、プリント基板２を挿入することができる断面形状がチャンネル状の部分を有し、長手方向一方側から挿入されるプリント基板２を脱落させないように支持することができる。
ＬＥＤ２Ａには、プリント基板２の何れかの端に設けられている接続コネクタ（図示を省略）を、陳列棚５（図４参照）に予め準備されている直流１２ボルトの電圧が供給されているソケット（図示を省略）に接続することにより、動作電力が供給される。
【００１９】
表示部材支持部１Ｃおよび片部材１Ｄは、基片１Ａから張り出す片持ち梁状の部分であり、これら各部のうちで片部材１Ｄは、表示部材支持部１Ｃの張り出し長さの概ね半分の張り出し量に設定されてＬＥＤ２Ａを覆えるようになっている。
【００２０】
片部材１Ｄは、表示部材支持部１Ｃに対して光源として用いられるＬＥＤが点光源であるため、照明光を拡散して表示部材支持部１Ｃの全域を照明できるように、その表面に鋭角の凹凸部等で形成した光屈折面を有する拡散部（図示されず）が設けられている。
【００２１】
表示部材支持部１Ｃは、下端側が折り返されてその重合部分が表示部材３の把持部１Ｃ１として用いられるようになっている。
把持部１Ｃ１には、コルトン紙や光透過性を有するフィルムあるいはシート等が用いられる表示部材３（図１および図２中、二点鎖線で示す部材）が挟み込まれるようになっている。
表示部材３には、表示内容が印刷あるいは打ち抜きなどにより形成されている。
また、把持部１Ｃ１と同様に表示部材３の固定を行う構成として、表示部材支持部１Ｃの基片１Ａ側には、挟持装着部１Ｅの基片１Ａ側から表示部材支持部１Ｃに向けて庇状に張り出した保持部１Ｅ１が設けられている。これにより、表示部材３の上下端辺はそれぞれ、庇状に張り出す保持部１Ｅ１と表示部材支持部１Ｃの折り返した把持部１Ｃ１とで保持される。
【００２２】
挟持装着部１Ｅは、撓み変形ができる習性、いわゆる可撓性を備えるために湾曲部を有し、その下端側が基片１Ａの表面に圧接できる初期習性を持たせてある。
挟持装着部１Ｅは、図３に示すように、初期習性に抗して下端側を押し開くことができる（図３において矢印で示す押し開き方向に下端部を動かす）。
挟持装着部１Ｅの下端側が押し開かれると、透明枠体１を取り付ける場所に位置する片部（便宜上、図３において符号５Ａで示す）に挟持装着部１Ｅを差し入れることができる。
挟持装着部１Ｅは、挿入された後、自身の形状復元力によって閉じられると、片部５Ａを挟み込んで透明枠体１を固定することができる部分として用いられる。
【００２３】
本実施例は以上のような構成であるから、図４に示すように、載置される陳列品の落下を防止するために衝立状に形成された落下防止片５Ａを備えた陳列棚５を対象として設置される。設置に際しては、既設の陳列棚５において上方に向け突出している落下防止片５Ａに対して透明枠体１の挟持装着部１Ｅが差し込まれる。
透明枠体１を落下防止片５Ａに装着するときには、透明枠体１の挟持装着部１Ｅを押し広げて落下防止片５Ａに差し込み、押し広げを解除することにより挟持装着部１Ｅの習性により落下防止片５Ａを挟み込んで装着が完了する。
【００２４】
一方、表示部材支持部１Ｃには、折り返された把持部１Ｃ１および挟持装着部１Ｅの保持部１Ｅ１内に表示部材３が差し入れられて保持される。
表示部材３は、光源であるＬＥＤからの照明光を受けて表示内容を照明されるが、ＬＥＤからの光が片部材１Ｄにより拡散されているので、表示部材３の局所的な照明とはならず、全体を対象として照明されることになる。
図４では、下段の透明枠体１が電飾状態にあり、上段の透明枠体１は非電飾状態にある場合を示している。非電飾状態では、表示部材３の表示内容（図４の上段中、二点鎖線で示す「ＲＯＧＯ」という内容）が明示されておらず、電飾状態では、表示内容（図４の下段中、グレースケール表示された「ＲＯＧＯ」という内容）が光透過により浮き出るようになる。
【００２５】
また、表示部材３は、挟持装着部１Ｅの保持部１Ｅ１と表示部材支持部１Ｃの折り返された把持部１Ｃ１とに上下端辺を挿入できるので、上下端辺を保持部１Ｅ１および把持部１Ｃ１から引き出すこともでき、これにより、内容の異なる表示部材３に交換することもできる。
【００２６】
以上のような構成の実施例においては、既設の陳列棚に対して表示部材の照明器具用の透明枠体１を後付けにより取り付けることができる。これにより、挟持装着部１Ｅを挿入できる陳列棚の構成であれば、既設の陳列棚に電飾効果を付加することができる。
また、電飾表示の内容も表示部材３の交換により種々選択することができるので、表示形式や内容の応用範囲を広くすることができ、光源としてＬＥＤ以外の半導体光源の利用も可能である。
【符号の説明】
【００２７】
１  透明枠体
１Ａ  基片
１Ｂ  光源装着部
１Ｃ  表示部材支持部
１Ｃ１  把持部
１Ｄ  片部材
１Ｅ  挟持装着部
１Ｅ１  庇状の保持部
２  ＬＥＤを備えたプリント基板
３  表示部材
【図１】
0003151340.tif 000003
【図２】
0003151340.tif 000004
【図３】
0003151340.tif 000005
【図４】
0003151340.tif 000006